(57)【要約】      （修正有）【課題】太陽光から照射される光の量が多い時でも、少ない時でも、太陽光の精密な感知動作が行える太陽光位置追跡用光センサホルダを提供する。【解決手段】隔壁３００を基準に互いに対向する一対のホルダ１００のボディ１１０の内側に形成され、隔壁３００と隣接した光流入口１５１を備え、縦方向に形成された第１光誘導路１４１、光流入口、補助光誘導路、第１光センサ４０１及び第２光センサが設けられた第１凹溝１２１、光流出口１６１と光流出口から流入された光が第１凹溝１２１に設けられた第１光センサ４０１及び第２光センサの感知部４２０に分散されるようにする第２凹溝を含む。【選択図】図２
2014160077.tif 000002
【特許請求の範囲】
【請求項１】
第１光センサ（４０１）及び第２光センサ（４０１ａ）がそれぞれ設けられ、隔壁（３００）を基準に互いに対向する一対のホルダ（１００、１００ａ）、
前記各ホルダ（１００、１００ａ）のボディ（１１０）の内側に形成され、前記隔壁（３００）と隣接して光が流入される光流入口（１５１）を備えるとともに、縦方向に形成された第１光誘導路（１４１）、
前記各ボディ（１１０）側面に形成された少なくとも一つの光流入口（８５１、８５２）、
前記光流入口（８５１、８５２）に連結された補助光誘導路（８４１、８４２）、
前記第１光センサ（４０１）及び前記第２光センサ（４０１ａ）がそれぞれ設けられた第１凹溝（１２１）、
前記第１凹溝（１２１）に隣接して、前記第１光誘導路（１４１）と屈折部（１７２）及び第２光誘導路（１４２）で連結され、前記光流入口（１５１）から流入された光が屈折して光流出口（１６１）を通して前記第１光センサ（４０１）及び前記第２光センサ（４０１ａ）が設けられた感知部（４２０）に分散されるようにして、前記光流入口（８５１、８５２）から流入された光が前記補助光誘導路（８４１、８４２）を経て光流出口（８６１、８６２）を通して前記第１凹溝（１２１）にそれぞれ設けられた前記第１光センサ（４０１）及び前記第２光センサ（４０１ａ）が設けられた前記感知部（４２０）に分散されるようにする第２凹溝（１２２）を含むことを特徴とする太陽光位置追跡用光センサホルダ。
【請求項２】
前記ボディ（１１０）の上部に形成された前記光流入口（１５１）には、光を透過する透明または半透明の接着物質が満たされたことを特徴とする請求項１に記載の太陽光位置追跡用光センサホルダ。
【請求項３】
前記補助光誘導路（８４１、８４２）は、前記ボディ（１１０）の側面に対して直角または１０度〜６０度の範囲に傾斜して、少なくとも一つ形成されたことを特徴とする請求項１に記載の太陽光位置追跡用光センサホルダ。
【請求項４】
前記第１凹溝（１２１）の直径を前記第２凹溝（１２２）の直径より大きく形成させ、前記第１凹溝（１２１）と前記第２凹溝（１２２）に隣接して形成された係止段（１２３）には、前記感知部（４２０）が係止されたことを特徴とする請求項１に記載の太陽光位置追跡用光センサホルダ。
【請求項５】
前記感知部（４２０）に生成された感知線（４２１）の直線部（４２１ａ）は、前記第１光誘導路（１４１）を形成する横方向への長さ（Ｌ１）部分と平行に前記第１凹溝（１２１）にそれぞれ設けられたことを特徴とする請求項１に記載の太陽光位置追跡用光センサホルダ。
【請求項６】
前記第１凹溝（１２１）には、前記第１光センサ（４０１）及び前記第２光センサ（４０１ａ）を設けるためのキャップ（Ｃａｐ：５００）が挿入されたことを特徴とする請求項１に記載の太陽光位置追跡用光センサホルダ。
【発明の詳細な説明】
【技術分野】
【０００１】
本発明は、太陽光位置追跡用光センサホルダに係り、より具体的にはＣｄＳ（硫化カドミウムセル）等の光センサを用いて、太陽光から発散される光の強度が強い天気、即ち、照射される光の量が多い照度範囲においても太陽光の精密な感知動作が行われるようにした太陽光位置追跡用光センサホルダに関する。
また、本発明は、太陽光から発散される光がボディの側面部を通じて流入する少なくとも１つの光流入口が備えられた補助光誘導路を通じて、光流出口を介して第１凹溝に設けられた光センサの感知部に分散させることによって、太陽光から発散される光の強度が弱い早朝または夕方頃にも太陽光の精密な感知動作が行われるようにした技術に関するものである。
【背景技術】
【０００２】
最近において、人類が電気、ガス及び石油資源等に依存した影響によって、原油価格が急騰している一方、人類による石油エネルギーの使用による温室ガスの増加などによって環境汚染問題が深刻に提起されている。
これにより、環境公害の発生なしに環境にやさしく無制限に用いることができる太陽熱をはじめとして風力、潮力などの自然を用いた代替エネルギーの開発に対する関心が高まっており、その中でも特に太陽熱を用いて、家庭及び産業体に使われる温水または暖房に必要な熱源を生産するための装置の開発が活発に進められている。
【０００３】
図１は、従来の太陽光の位置追跡のための光センサがホルダに設けられた状態を示した図面である。
従来の太陽光の位置追跡のための光センサ、即ちＣｄＳ素子が設けられたホルダ（Ｈｏｌｄｅｒ）（１０）は、特許文献１に記載されたとおり、円柱または四角柱の形状からなるボディ（Ｂｏｄｙ）（１１）の中心部位に隔壁（１３）を設けて２つの第１凹溝（１４）及び第２凹溝（１４−１）を形成し、形成された第１凹溝（１４）及び第２凹溝（１４−１）にＣｄＳが備えられた第１光センサ（１５）及び第２光センサ（１５−１）が一対にそれぞれ設けられるとともに、ボディ（１１）の上部には太陽光（１６）から発散される光が収集される透明または半透明材質のフィルタ（Ｆｉｌｔｅｒ）（１２）が構成されている。
【０００４】
ここで、光センサは、ＣｄＳ（硫化カドミウムセル）、フォトトランジスター（Ｐｈｏｔｏ  Ｔｒａｎｓｉｓｔｏｒ）等の多様な種類が用いられるが、そのうちＣｄＳは照射される光の量に応じて抵抗の容量（または「抵抗値」という）が変化し、その感知動作が行われる。
例えば、ＣｄＳは、大部分５Ω（オーム）乃至２５０ＫΩ（キロオーム）の抵抗値を有するが、これは光の照射量を感知して変動するもので、暗い状態では高い抵抗値を有し、ＣｄＳ表面に照射される光が明るくなるほど自体の内部抵抗値が低くなる性質を利用した、いわゆる、ライト（Ｌｉｇｈｔ）−オン（Ｏｎ）型を用いるものである。
言い換えれば、ＣｄＳは、太陽光（１６）から発散される光がＣｄＳ表面に照射されるとその抵抗値が減少し、この時ＣｄＳを通過して流れる電流が増加し、結果としてライト（Ｌｉｇｈｔ）−オン（Ｏｎ）動作が行われ、これによって光信号が電流信号に変換された感知信号が発生する。
【０００５】
一方、一対に設けられた第１光センサ（１５）及び第２光センサ（１５−１）は、その設けられる方向に沿って東方向及び西方向、または南方向及び北方向の太陽光を感知することによって、太陽光電力を生産するソーラー（Ｓｏｌａｒ）板（図示を省略）が別途の駆動装置（図示を省略）に連結されて太陽光（１６）に向かっての追跡動作が行えるようにしたものである。
【０００６】
しかし、このように構成された従来の技術は、太陽光（１６）から発散される光の強度の強い澄んだ天気、例えば１万ルックス（ｌｘ）以上の照度においては、隔壁（１３）を間に置いて設けられた第１光センサ（１５）及び第２光センサ（１５−１）にフィルタ（１２）を通じて太陽光が収集されると、隔壁（１３）による影の影響が非常に微弱となり、第１光センサ（１５）と第２光センサ（１５−１）との抵抗値がほぼ差のない状態（例えば、０Ω（オーム））になるため、これによって太陽光（１６）の正しい位置感知ができなくなる問題が発生する。
従って、太陽光電力を生産するソーラー板（図示を省略）または太陽熱を生産するための集熱板（図示を省略）が太陽光（１６）を追跡できなくなり、結局熱エネルギーの節減のために高価な費用で設けた装置が太陽光電力または太陽熱を十分に生産できなくなるという多くの問題をもたらす。
【先行技術文献】
【特許文献】
【０００７】
【特許文献１】韓国特許出願第１０−２００７−００８８７７４号（２００７年９月３日出願）
【発明の概要】
【発明が解決しようとする課題】
【０００８】
本発明は、上述した問題点を解決するためになされたものであって、その目的とするところは、太陽光から発散される光の強度が強い天気、言い換えれば、太陽光から照射される光の量が多い照度範囲（例えば１万ルックス（ｌｘ）以上）でも、太陽光を感知するための感度をより一層高めることができるようにすることにある。
また、本発明のもう一つの目的とするところは、太陽光から発散される光の強度が弱い早朝または夕方頃にも東または西の方に位置した太陽光の精密な感知動作が行われるようにすることにある。  
【課題を解決するための手段】
【０００９】
上記の課題を解決するためになされた本発明の太陽光位置追跡用光センサホルダは、第１光センサ及び第２光センサがそれぞれ設けられ、隔壁を基準に互いに対向する一対のホルダ、各ホルダのボディの内側に形成され、隔壁と隣接して光が流入される光流入口を備えるとともに、縦方向に形成された第１光誘導路、各ボディ側面に形成された少なくとも一つの光流入口、光流入口に連結された補助光誘導路、第１光センサ及び第２光センサがそれぞれ設けられた第１凹溝、第１凹溝に隣接して、第１光誘導路と屈折部及び第２光誘導路で連結され、光流入口から流入された光が屈折して光流出口を通して第１光センサ及び第２光センサが設けられた感知部に分散されるようにして、光流入口から流入された光が補助光誘導路を経て光流出口を通して第１凹溝にそれぞれ設けられた前記第１光センサ及び第２光センサの感知部に分散されるようにする第２凹溝を含むことを特徴とする。
【００１０】
ボディの上部に形成された光流入口には、光を透過する透明または半透明の接着物質が満たされたことを特徴とする。
【００１１】
補助光誘導路は、ボディの側面に対して直角または１０度〜６０度の範囲に傾斜して、少なくとも一つ形成されたことを特徴とする。
【００１２】
第１凹溝の直径を第２凹溝の直径より大きく形成させ、第１凹溝と第２凹溝に隣接して形成された係止段には、感知部が係止されたことを特徴とする。
【００１３】
感知部に生成された感知線の直線部は、第１光誘導路を形成する横方向への長さ部分と平行に第１凹溝にそれぞれ設けられたことを特徴とする。
【００１４】
第１凹溝には、第１光センサ及び第２光センサを設けるためのキャップ（Ｃａｐ）が挿入されたことを特徴とする。
【発明の効果】
【００１５】
本発明は、太陽光から発散される光の強度が強い天気、または照射される光の量が多い照度範囲においても、太陽光の位置変化を感知するための感度をより一層高めることができるため、太陽光電力を生産するソーラー板または太陽熱を生産する集熱板が太陽光の位置追跡をより正確に行える効果を有する。
【００１６】
また、本発明は、補助光誘導路を備え、太陽光から発散される光の強度が弱い早朝または夕方頃にも、東または西の方に位置した太陽光の位置変化を感知するための感度をより一層精密に高めることができるため、これによって太陽光電力を生産するソーラー板及び太陽熱を生産する集熱板が太陽光の位置追跡をより正確に行える効果を有する。
【図面の簡単な説明】
【００１７】
【図１】従来の太陽光の位置追跡のための光センサがホルダに設けられた状態を示した図面である。
【図２】本発明による太陽光の位置追跡のための光センサが、ホルダに設けられる状態を一部切開して示した一実施例の分解図面である。
【図３】本発明による図２において、太陽光の位置追跡のための光センサがホルダに設けられた状態を一部切開して示した一実施例の図面である。
【図４】本発明による図２において、太陽光の位置追跡のための一対の光センサが、互いに対向して固定された一対のホルダにそれぞれ設けられた状態を一部切開して示した一実施例の図面である。
【図５】本発明による太陽光の位置感知のための光センサがホルダに設けられる状態を一部切開して示した一実施例の分解図面である。
【図６】本発明による図２において、太陽光の位置感知のための光センサがホルダに設けられた状態を一部切開して示した第１実施例の図面である。
【図７】本発明による図２において、太陽光の位置感知のための一対の光センサが、一対のホルダにそれぞれ設けられた状態を一部切開して示した第２実施例の図面である。
【図８】本発明による図２及び図５において、太陽光の位置追跡のための光センサがホルダに設けられた状態を示した平面図である。
【図９】本発明による図３及び図６において、太陽光の位置追跡のための光センサがホルダに設けられた状態でＡ−Ａ部位を切断して示した平断面図である。
【発明を実施するための形態】
【００１８】
本発明の具体的な実施例を説明するにあたり、本発明を図面によって示すが、図示する構成と動作は少なくとも１つの一実施例として説明するものであって、これによって本発明の技術的思想とその核心的な構成及び動作が制限されるものではない。
参考事項として、本発明を説明する各図面に符号を表記するにあたり、同一の構成要素はたとえ他の図面に表記されてもできるだけ同一の符号で表記したことに特に留意すべきである。
【００１９】
以下、本発明の太陽光の位置追跡のための光センサホルダについて図面に基づいて詳細に説明する。
まず、本発明の課題を解決するための主な構成について図２〜図４に基づいて詳しく説明する。ＣｄＳなどの光センサ、即ち、第１光センサ（４０１）または第２光センサ（４０１ａ）が設けられる円柱、四角柱、多角柱など多様な形状から成り、例えば東西または南北方向に併設される一対のホルダ（１００、１００ａ）で構成される。
また、ホルダ（１００、１００ａ）に備えられたボディ（１１０、１１０ａ）の下部に形成され、第１光センサ（４０１）または第２光センサ（４０１ａ）がそれぞれ設けられる第１凹溝（１２１）を含め、ボディ（１１０、１１０ａ）の一側面部（１１１）に固定されて太陽光（７００）の影を生成するための隔壁（３００）から構成される。
【００２０】
また、本発明は、第１光センサ（４０１）及び第２光センサ（４０１ａ）が一対のホルダ（１００、１００ａ）にそれぞれ設けられ、例えば第１光センサ（４０１）が東方向または南方向に位置した太陽光（７００）から発散される光を感知し、そして第２光センサ（４０１ａ）が西方向または北方向に位置した太陽光（７００）から発散される光を感知するように構成される。
言い換えれば、本発明の図面に示されなかったが、本発明が適用される太陽光電力を生産するソーラー板（これを「ソーラーパネル（Ｓｏｌａｒ  Ｐａｎｅｌ）」ともいう。）装置または太陽熱を生産する集熱板装置には、東西方向に位置した太陽光（７００）を感知するための一対の第１光センサ（４０１）及び第２光センサ（４０１ａ）が備えられたホルダ（１００、１００ａ）が設けられ、併せて南北方向に位置した太陽光（７００）を感知するための一対の他の第１光センサ（４０１）及び第２光センサ（４０１ａ）が備えられたホルダ（１００、１００ａ）が設けられることが望ましい。
【００２１】
このように構成された一対の第１光センサ（４０１）及び第２光センサ（４０１ａ）は、東方向または南方向に位置した太陽光（７００）から発散される光が隔壁（３００）によって第１光センサ（４０１）または第２光センサ（４０１ａ）側に影を生成し、これに応じて抵抗値が変化する特性を利用して、第１光センサ（４０１）または第２光センサ（４０１ａ）を通過して流れる電流量をそれぞれ別々に感知する構造に構成される。
【００２２】
次は、本発明の課題を解決するための一実施例について添付の図４を参照してさらに詳細に説明する。
図４は、本発明による図２に示した、太陽光の位置追跡のための一対の光センサを、互いに対向して固定し、一対のホルダにそれぞれ設けられた状態を一部切開して示した一実施例の図面である。
上述したとおり第１光センサ（４０１）及び第２光センサ（４０１ａ）がそれぞれ設けられる一対のホルダ（１００、１００ａ）が構成される。
【００２３】
ホルダ（１００、１００ａ）は、隔壁（３００）を基準にボディ（１１０、１１０ａ）の一側面部（１１１）が互いに対向するように、即ち、互いに対称となるように一体に固定具備され、ボディ（１１０）の一側面部（１１１）に隔壁（３００）と隣接して太陽光（７００）から発散される光が流入される光流入口（１５１）をそれぞれ備えるとともに、縦方向に形成された第１光誘導路（１４１）が構成される。
この時、一対の第１光センサ（４０１）及び第２光センサ（４０１ａ）がそれぞれ設けられるホルダ（１００、１００ａ）は、隔壁（３００）を間に置いて固定部材（６２１）を用いてボディ（１１０、１１０ａ）を互いに固定することが望ましい。
【００２４】
ここで、固定部材（６２１）として、ボルト及びナットを用いて固定したり、または別途の固定ネジ、リベット（Ｒｉｖｅｔ）などを用いて固定することも可能である。
また、第１光誘導路（１４１）と屈折部（１７２）及び第２光誘導路（１４２）で連結され光流入口（１５１）から流入した光が、屈折して光流出口（１６１）を通過して第１光センサ（４０１）及び第２光センサ（４０１ａ）の感知部（４２０）に分散する空間（１２２ａ）を有する第２凹溝（１２２）が構成される。
また、第２凹溝（１２２）に隣接して備えられ、第１光センサ（４０１）及び第２光センサ（４０１ａ）がそれぞれ設けられる第１凹溝（１２１）を含んで構成されたことを特徴とする。
【００２５】
次いで、本発明の課題を解決するための他の一実施例について添付の図２を参照して詳細に説明する。
図２は、本発明による太陽光の位置追跡のための光センサがホルダに設けられる状態を一部切開して示した一実施例の分解図面である。
まず、第１光センサ（４０１）が設けられるホルダ（Ｈｏｌｄｅｒ）（１００）が構成され、ホルダ（１００）に備えられたボディ（Ｂｏｄｙ）（１１０）の一側面部（１１１）に隔壁（３００）と隣接して太陽光（７００）から発散される光が流入する光流入口（１５１）を備えるとともに、縦方向（垂直方向）に形成された第１光誘導路（１４１）が構成される。
【００２６】
また、第１光誘導路（１４１）と屈折部（１７２）及び第２光誘導路（１４２）で連結され光流入口（１５１）から流入した光が、屈折して光流出口（１６１）を通過して第１光センサ（４０１）または第２光センサ（４０１ａ）の感知部（４２０）に分散する空間（１２２ａ）を有する第２凹溝（１２２）が構成される。
また、第２凹溝（１２２）に隣接して備えられ、第１光センサ（４０１）または第２光センサ（４０１ａ）が設けられる第１凹溝（１２１）を含んで構成されたことを特徴とする。
【００２７】
次に、本発明の課題を解決するための更に他の一実施例について図５〜７に基づいて詳細に説明する。
図５は、本発明による太陽光の位置感知のための光センサがホルダに設けられる状態を一部切開して示した一実施例の分解図面である。
まず、一対のホルダ（１００、１００ａ）が太陽光（７００）の影を生成するための隔壁（３００）を基準に、ボディ（１１０、１１０ａ）の一側面部（１１１）が互いに対向するように、即ち、互いに対称となるように一体に接合固定され、ボディ（１１０、１１０ａ）の一側面部（１１１）には隔壁（３００）と隣接して太陽光（７００）から発散される光が流入する光流入口（１５１）を備えるとともに、縦方向に形成された第１光誘導路（１４１）が構成される。
【００２８】
この時、一対のホルダ（１００、１００ａ）は、図７に示すとおり固定ネジ、リベット（Ｒｉｖｅｔ）または固定手段などを用いた固定部材（６２１）によってボディ（１１０、１１０ａ）を互いに接合固定することを特徴とする。
続いて、第１光誘導路（１４１）と横方向に形成された第２光誘導路（１４２）を連結した屈折部（１７２）、及び光流入口（１５１）から流入した光が屈折部（１７２）で屈折して光流出口（１６１）を通過して光センサ（４０１）の感知部（４２０）に分散する第２凹溝（１２２）が構成される。
【００２９】
また、第２凹溝（１２２）に接して形成された係止段（１２３）を間に置いて光センサ（４０１）が挿設された第１凹溝（１２１）を含み、第２凹溝（１２２）に接して太陽光（７００）から発散される光がボディ（１１０、１１０ａ）の側面部を通じて流入する少なくとも１つ以上の、光流入口（８５１、８５２）がそれぞれ備えられた補助光誘導路（８４１、８４２）が構成される。
そして、光流入口（８５１、８５２）から流入した光が、補助光誘導路（８４１、８４２）を経て光流出口（８６１、８６２）を通過して第１凹溝（１２１）に設けられた光センサ（４０１）の感知部（４２０）に分散するものを含んで構成されたことを特徴とする。
【００３０】
一方、ボディ（１１０）の側面部を通じて形成された補助光誘導路（８４１、８４２）は、太陽光（７００）から発散される光の強度が弱い早朝または夕方頃にも東または西の方に位置した太陽光の位置変化をより一層精密に感知できるようにすることに特徴がある。
言い換えれば、早朝または夕方頃には太陽の高度が非常に低いため、隔壁（３００）の影が太陽光（７００）の反対側に位置したもう１つの光センサ（４０１）に生じないだけでなく、これによって第１光誘導路（１４１）と第２光誘導路（１４２）を通じて流入する光では、一対の光センサ（４０１）でそれぞれ感知される太陽光（７００）に対して位置の感知を正しくすることができなくなる場合が発生し得るためである。
【００３１】
従って、ボディ（１１０、１１０ａ）の側面部を通じて形成された補助光誘導路（８４１、８４２）は、このような場合を考慮して、太陽光（７００）の高度が低いために太陽光（７００）から発散される光の強度が弱い早朝または夕方頃にも、東または西の方に位置した太陽光（７００）の位置変化を容易に感知することが可能になる。
ここで、ボディ（１１０、１１０ａ）の側面部を通じて形成された補助光誘導路（８４１、８４２）は、少なくとも１つ以上形成するものの、ボディ（１１０、１１０ａ）の側面（符号を省略）に対して直角または１０〜６０度の範囲に傾斜させて形成することによって、第２凹溝（１２２）に光流入口（８５１、８５２）から流入した光が、光流出口（８６１、８６２）を通過して光センサ（４０１，４０１ａ）の表面に形成された感知部（４２０）に容易に分散するようにすることが望ましい。
【００３２】
次に、上述した本発明による多様な一実施例において共通に適用される構成手段について詳細に説明する。
まず、図２に示したとおり第１凹溝（１２１）及び第２凹溝（１２２）は係止段（１２３）を介し隣接して形成され、係止段（１２３）には第１光センサ（４０１）及び第２光センサ（４０１ａ）の感知部（４２０）が係止されることを特徴とする。
この時、第１凹溝（１２１）の直径を、空間（１２２ａ）が形成された第２凹溝（１２２）の直径より大きく形成することが望ましい。
【００３３】
そして、図８に示したとおり第１光誘導路（１４１）を形成する横方向（水平方向）への長さ（Ｌ１）及び幅（Ｄ１）は、第２光誘導路（１４２）でも同一に形成されるとともに、第１光誘導路（１４１）と第２光誘導路（１４２）の間に光が屈折されて通過する屈折部（１７２）でも同一に形成されることを特徴とする。
従って、太陽光（７００）から発散される光の強度が強い天気、または照射される光の量が多い照度範囲（例えば、１万ルックス（ｌｘ）以上の照度）でも光の感知が精密に行うことができるようにすることによって、太陽光（７００）の位置変化に対する感知感度をより一層高めることができる。
【００３４】
また、第１光誘導路（１４１）を形成する横方向への長さ（Ｌ１）及び幅（Ｄ１）は、第２光誘導路（１４２）を含めてボディ（１１０）の側面部に接して形成された補助光誘導路（８４１）（８４２）も同一の長さ（Ｌ１）と幅（Ｄ１）に形成されたことをその特徴とする。
また、図９に示したとおり第１凹溝（１２１）に設けられる第１光センサ（４０１）及び第２光センサ（４０１ａ）の感知部（４２０）に生成された感知線（４２１）の直線部（４２１ａ）は、第１光誘導路（１４１）を形成する横方向への長さ（Ｌ１）部分と平行に設けることにより、感知線（４２１）を通じて光の感知がさらに容易に行われることが望ましい。
隔壁（３００）は、第１光誘導路（１４１）と平行に、かつ、終端部（３１１）が固定溝（１７１）に締結されて固定されることを特徴とする。また、隔壁（３００）は、太陽光（７００）によって影が生成されなければならないため、隔壁（３００）は不透明材質の金属物質または合成樹脂で形成されることが望ましい。
【００３５】
この時、隔壁（３００）は、太陽光（７００）によってそれぞれのホルダ（１００）に備えられたボディ（１１０）の上面部位に十分な影が生成され得るように、その大きさを考慮して設けることが望ましい。
また、ボディ（１１０）の上部に備えられた光流入口（１５１）に接して長方形の締結溝（１３１）が形成され、締結溝（１３１）には、光を透過させる透明または半透明の材質のガラスや合成樹脂などで形成されたフィルタ（２００）が別途の付着手段によって設けられることを特徴とする。
もちろん、光流入口（１５１）には外部から雨水及びホコリなどが流入しないように、フィルタ（２００）の代わりに透明または半透明の接着物質またはシリコン（Ｓｉｌｉｃｏｎ）などによってボンディング（Ｂｏｎｄｉｎｇ）することも可能である。
【００３６】
一方、ボディ（１１０、１１０ａ）の側面部に形成された補助光誘導路（８４１、８４２）の光流入口（８５１、８５２）に接して長方形の締結溝（８３１）が形成され、締結溝（８３１）には、光を透過させる透明または半透明の材質のガラスや合成樹脂などで形成されたフィルタ（８００）が別途の付着手段によって設けられることを特徴とする。
また、ボディ（１１０、１１０ａ）の下部に備えられた第１凹溝（１２１）には、第１光センサ（４０１）及び第２光センサ（４０１ａ）を設けて固定させるためのキャップ（Ｃａｐ：５００）が挿入されることを特徴とする。
【００３７】
この時、ボディ（１１０、１１０ａ）の下部に備えられた第１凹溝（１２１）には、第１光センサ（４０１）及び第２光センサ（４０１ａ）を設けるとともに、外部から光の透過がないようにしなければならない。特に、雨水などが流入されないようにエポキシ（Ｅｐｏｘｙ）またはシリコン（Ｓｉｌｉｃｏｎ）によってボンディング（Ｂｏｎｄｉｎｇ）して固定することが望ましい。
【００３８】
参照事項として図２及び図５に表記された未説明符号５１１は、第１光センサ（４０１）及び第２光センサ（４０１ａ）に備えられたリード（Ｌｅａｄ）線（４１１）が貫通される通孔である。
そして、第１光誘導路（１４１）と第２光誘導路（１４２）の間に連結された屈折部（１７２）は、その角度を９０度〜１６０度の範囲に形成することによって、第２凹溝（１２２）の空間（１２２ａ）に光流入口（１５１）から流入した光が光流出口（１６１）を通過して第１光センサ（４０１）及び第２光センサ（４０１ａ）の表面に形成された感知部（４２０）に容易に分散することが望ましい。
【００３９】
以上説明した内容に照らしてみると、当業者において本発明の技術的思想を逸脱しない範囲で多様な変更と修正などが可能であることは自明である。
従って、本発明の技術的範囲は上述したような実施例に記載された内容に限定されるものではなく、本発明の特許請求の範囲によって定められることが望ましい。
【産業上の利用可能性】
【００４０】
本発明は太陽から発散される太陽光を効率よく感知して追跡できる技術であって、今後熱エネルギーの節減及び環境への対応においてその利用可能性が非常に期待される発明である。
【符号の説明】
【００４１】
１０：  ホルダ（Ｈｏｌｄｅｒ）
１１：  ボディ（Ｂｏｄｙ）
１２：  フィルタ（Ｆｉｌｔｅｒ）
１３：  隔壁
１４：  第１凹溝
１４−１：  第２凹溝
１５：  第１光センサ
１５−１：  第２光センサ
１６：  太陽光
１００、１００ａ：  ホルダ（Ｈｏｌｄｅｒ）
１１０、１１０ａ：  ボディ（Ｂｏｄｙ）
１１１：  一側面部
１２１：  第１凹溝
１２２：  第２凹溝
１２２ａ：  空間
１２３：  係止段
１３１、８３１：  締結溝
１４１：  第１光誘導路
１４２：  第２光誘導路
１５１、８５１、８５２：  光流入口
１６１、８６１、８６２：  光流出口
１７１：  固定溝
１７２：  屈折部
２００、８００：  フィルタ（Ｆｉｌｔｅｒ）
３００：  隔壁
３１１：  終端部
４０１：  第１光センサ
４０１ａ：  第２光センサ
４１１：  リード（Ｌｅａｄ）線
４２０：  感知部
４２１：  感知線
４２１ａ：  （感知線の）直線部
５００：  キャップ（Ｃａｐ）
５１１：  通孔
６２１：  固定部材
７００：  太陽光
８４１、８４２：  補助光誘導路
【図１】
2014160077.tif 000003
【図２】
2014160077.tif 000004
【図３】
2014160077.tif 000005
【図４】
2014160077.tif 000006
【図５】
2014160077.tif 000007
【図６】
2014160077.tif 000008
【図７】
2014160077.tif 000009
【図８】
2014160077.tif 000010
【図９】
2014160077.tif 000011